(57)【要約】エレベータシステム荷重支持部材の端部を固定するための装置は、ソケット、ウェッジ、および、少なくとも１つのインサート部材を含む。ソケットは、荷重支持部材の端部を所定の位置に保持するように、インサート部材とウェッジとを、少なくとも部分的に収容する。好適な構成は、ウェッジの対向しあう面上で荷重支持部材を係合する２つのインサート部材を含み、これにより、荷重支持部材は、ウェッジとインサート部材との間において固定される。インサート部材とソケットとは、曲線形状付きの表面を含み、これにより、平行に整列した、インサート上の係合面を構成することが容易となり、荷重支持部材に、圧力を最も均一に分布させることができる。
2005502562.tif 000002
【特許請求の範囲】
【請求項１】
ソケットと、
上記ソケット内に少なくとも部分的に収容され、かつ、細長い荷重支持部材の一部分を上記ソケットとの間に収容する、ウェッジと、
上記ソケット内に少なくとも部分的に収容され、かつ、上記ソケットと上記荷重支持部材部材の対応する部分の表面との間に設けられた、少なくとも１つのインサート部材と、
を含み、かつ、
上記荷重支持部材の対応する部分は、上記ウェッジと上記インサート部材との間において、固定されることを特徴とする、エレベータシステムの細長い荷重支持部材の端部を固定する装置。
【請求項２】
上記インサート部材は、曲線形状付の表面を含み、かつ、
上記表面は、ソケット上の対応する曲線形状が付いた表面に受け取られ、上記インサート部材が、該ソケット内に選択的に位置決めされることが可能となることを特徴とする請求項１に記載の装置。
【請求項３】
上記インサート部材が、圧力が荷重支持部材の一部分に亘って等しく分布するような所定の位置に、自動的に移動することとなるように、上記インサート部材の曲線形状付表面が上記曲線形状付ソケット表面と協働することを特徴とする請求項２に記載の装置。
【請求項４】
上記曲線形状付表面は、少なくとも部分的に円弧状となることを特徴とする請求項２に記載の装置。
【請求項５】
上記曲線形状付表面は、上記荷重支持部材の一部分の長さに対し直交する曲率半径を有することを特徴とする請求項４に記載の装置。
【請求項６】
上記インサート部材は、該インサート部材の一方の側面に係合面を含み、かつ、該係合面は、上記荷重支持部材の対応する部分の表面と係合することを特徴とする請求項１に記載の装置。
【請求項７】
上記係合面が、溝を含むことを特徴とする請求項６に記載の装置。
【請求項８】
２つのインサート部材を含み、かつ、
各インサート部材は、ソケット内において、少なくとも部分的に上記ウェッジの互いに対向する面に受け取られることを特徴とする請求項１に記載の装置。
【請求項９】
各インサート部材上に曲線形状付表面を含み、かつ、上記ソケットは、インサートの１つに設けられた該曲線形状付表面と協働する第１の曲線形状付表面と、もう一方のインサートに設けられた該曲線形状付表面と協働する第２の曲線形状付表面と、を含むことを特徴とする請求項８に記載の装置。
【請求項１０】
各インサートは、上記曲線形状付表面と反対側にベルト係合面を含み、かつ、上記協働する曲線形状付表面は、各ベルト係合面がウェッジ上の対応する面に対し平行に整列することを可能とするように機能することを特徴とする請求項９に記載の装置。
【請求項１１】
上記ソケットは、第１のソケット部分と、該第１のソケット部分に少なくとも部分的に溶接される、第２のソケット部分と、を含むことを特徴とする請求項１に記載の装置。
【請求項１２】
各ソケット部分は、該ソケット部分に沿って長手方向に延びた、実質的にＵ字型の断面のチャンネルを有し、かつ、各ソケット部分の開放端は、他方のソケット部分の開放端に固定されることを特徴とする請求項１１に記載の装置。
【請求項１３】
上記ソケット部分の一方は、収容部を含み、かつ、他方のソケット部分は、該収容部に収容される、あり継ぎ部分を含むことを特徴とする請求項１２に記載の装置。
【請求項１４】
上記ソケット内の第１の位置に上記インサート部材を保持するように、該インサート部材と協働する、少なくとも１つの保持部材を含むことを特徴とする請求項１に記載の装置。
【請求項１５】
上記インサート部材は、開口部を備えたボスを含み、かつ、上記保持部材は、上記ボスの開口部内に少なくとも部分的に収容される、ステム部分を含み、
かつ、
上記ソケットは、上記インサートが該ソケット内の第１の位置に保持されるときに、上記ボスの少なくとも一部分が貫通する、開口部を含むことを特徴とする請求項１４に記載の装置。
【請求項１６】
第１のソケット部分と、
上記第１のソケット部分に固定される、第２のソケット部分と、
上記両ソケット部分の間に少なくとも部分的に収容され、かつ、細長い荷重支持部材の一部分を上記ソケット部分との間に収容する、ウェッジと、
上記第１のソケット部分と上記ウェッジとの間に少なくとも部分的に収容され、かつ、上記荷重支持部材の対応する部分を該ウェッジとの間に固定する、第１のインサート部材と、
上記第２のソケット部分に少なくとも部分的に収容され、かつ、上記荷重支持部材のもう１つの部分を上記ウェッジとの間に固定する、第２のインサート部材と、
を含み、かつ、
上記のインサート部材は、各ソケット部分に設けられた対応する整列面と協働する、整列面を含み、かつ、該インサート部材が、上記ウェッジと整列するように自動的に移動することにより、上記荷重支持部材の対応する部分に均一な圧力分布を加えることを特徴とする、
エレベータシステムの細長い荷重支持部材の端部を固定するための装置。
【請求項１７】
各インサート部材が、少なくとも部分的に、上記荷重支持部材の対応する部分の長さに対し横向きに配置された曲率半径を有する円弧状をなした、曲線形状付表面を備えることを特徴とする請求項１６に記載の装置。
【請求項１８】
各インサート部材が、複数の溝を含んだ、荷重支持部材係合面を含むことを特徴とする請求項１６に記載の装置。
【請求項１９】
ウェッジの少なくとも一部分の外部表面を取り囲むように、荷重支持部材の一部分を位置決めする段階と、
上記ウェッジとインサートとの間で上記荷重支持部材の一部分を位置決めするように、上記荷重支持部材の一部分に対してインサートを位置決めする段階と、
上記荷重支持部材をソケットと上記ウェッジとに対し選択した位置に保持するように、上記ウェッジの少なくとも一部と上記インサートの少なくとも一部とを該ソケット内に配置する段階と、
を含む、ソケットと、少なくとも１つのインサートと、ウェッジと、を使用した、エレベータシステムの細長い荷重支持部材の端部を固定する方法。
【請求項２０】
一つのインサートを、上記ウェッジの一方の側面上に位置した荷重支持部材に対し位置決めし、かつ、第２のインサートを、該ウェッジの反対側の側面上に位置した荷重支持部材に対し位置決めする段階を含む請求項１９に記載の方法。
【請求項２１】
インサート上の表面を互いに平行に整列する段階を含んだ請求項２０に記載の方法。
【請求項２２】
インサート上の表面を、ウェッジ上のそれぞれ対応する表面に対し平行に整列する段階を含んだ請求項２０に記載の方法。
【発明の詳細な説明】
【技術分野】
【０００１】
本発明は、一般的に、エレベータ支持システムに関する。より具体的には、本発明は、エレベータシステムの荷重支持構造の端部を固定するための装置に関する。
【背景技術】
【０００２】
エレベータシステムは、昇降路内のかごを支持しかつ必要に応じて移動させるための、幾つかの種類の荷重支持部材、例えば、ロープやベルト、を通常含む。ある種の構成では、ベルトが、釣り合い重りとかごとを、繋ぐことになる。
【０００３】
エレベータシステムの具体的な構成に拘わらず、ベルトの端部をエレベータシステム内の適切な構造に固定することが、通常、必要とされる。エレベータシステム内にベルト端部を固定するための、種々の構成のアセンブリが使用されてきている。一例として、ベルトの一部分がソケットとウェッジとの間に固定される、鋳物で作られたソケット・ウェッジの構成が挙げられる。現状使用されている構成に関連した欠点の一つは、鋳造工程が比較的に高価なことである。
【発明の開示】
【発明が解決しようとする課題】
【０００４】
鋳造工程は、通常高価であるのみならず、ソケット内のベルト係合面の設計を最大限に活用する能力を制限してしまう。鋳造で作られたソケットは、容易に手を加えられない内側表面を有するため、一旦ソケットが形成されると、アセンブリのグリップ性能を高めるようにベルト係合面を加工することが、通常困難となる。鋳造工程において上記内側のソケット表面に溝を形成することは、通常、非常に高価であるとみなされる。
【０００５】
現状のシステムにおけるもう１つの欠点は、鋳造工程が、多くの構成に要求される寸法公差を確保できるほど、十分に精度のよいものではないことである。具体的な問題の１つに、ソケットの両側面とウェッジの両側面との間を平行に整列し、また、それを保持する要求がある。厳密に平行な整列とならないと、荷重支持部材に掛かる力は、均一に分布せず、ベルト寿命を損なうことになる。現状の設計と製造手法では、荷重支持部材と係合する、ソケット表面とウェッジ表面とを、正しく整列させることが難しい。
【０００６】
改良されたエレベータ荷重支持端末構造が必要とされている。本発明は、上記必要性に応え、上述した欠点を克服する。
【課題を解決するための手段】
【０００７】
概して、本発明は、エレベータシステムの荷重支持部材、例えばベルト、の端部を固定するための装置に関する。この装置は、ソケットと、このソケット内に収容される、ウェッジと、を含む。ソケットは、また、荷重支持部材の側面と係合するように、このソケットとウェッジとの間に収容された、少なくとも１つのインサートを保持する。このインサートは、上記ソケットに向いて収容される側面に、曲線形状付の表面を含み、この曲線形状付の表面は、ソケット上に設けられた対応する曲線形状と協働することが望ましい。この曲線形状付の表面は、少なくとも部分的に円弧状になっていることが望ましく、これにより、インサートの位置がソケット内で調節でき、ベルト両側におけるベルト係合面を要求どおりに整列することが可能となる。
【０００８】
インサートは、ベルトに面したインサートの側面に、係合面を含むことが望ましい。一例として、この係合面は、ベルトとの摩擦接触を向上するための溝を含む。
【０００９】
本発明は、ソケット内におけるウェッジの各側面にインサートを使用することを含む。これらのインサートは、ソケットとは別個に作られるため、そのベルト係合部側に係合面を、容易に構成できる。
【００１０】
当業者であれば、現状最良の形態が記載された以下の詳細な説明を参照することにより、本発明の種々の特徴や長所が、明らかとなろう。
【発明を実施するための最良の形態】
【００１１】
エレベータシステムの荷重支持部材３０の端部を処理する装置２０は、ソケット２２を含む。図示の例において、２つのソケット部分２４，２６が、互いに、また、ウェッジ２８と協働して、荷重支持部材３０の端部を、所望の位置に固定する。ツーピースのソケットは、ソケットの製造を簡略化できる点に利点を有する。また、ワンピースからなるソケットも、本発明の範囲に含まれる。
【００１２】
添付の図に示すように、例示されたソケット部分２４，２６は、実質的にＵ字形をした、チャンネル構造を含む。各チャンネルの開放端は、もう一方のチャンネルの開放端に向かい合うように配置され、これらの２つのソケット部分は一体となる。この図示例は、第１のソケット部分２４に設けられた、あり継ぎ部３４と、このあり継ぎ部３４を収容する、第２のソケット部分２６に設けられた、収容部３２と、を含んだあり継ぎ型構造を含む。これらの２つのソケット部分は、図３の符号３６に示すように、溶接によって互いに接合されることが望ましい。ツーピースからなるソケットが使用される態様において、両ソケット部分を互いに固定する、別の構成も可能である。上記の記載の利点を把握した当業者であれば、特有の構成における要求に合った、所定の形状と、接続方法と、を選択し得るだろう。
【００１３】
図示の荷重支持部材３０は、被膜付鋼線ベルトである。本発明は、なお、被膜付鋼線ベルトに限定されるものではない。本発明に基づいて設計された、ソケット・ウェッジの構成の使用に適合しうる、エレベータシステムの荷重支持部材であればどれでも、使用可能である。本明細書に用いられている「ベルト」の用語は、厳密な意味で解釈されるべきではない。上記「ベルト」は、ロープや荷重支持部材と同義であると解釈されるべきである。
【００１４】
好適な構成は、ソケット２２内に収容された、２つのインサート４０，４２を含む。図示例においては、インサート４０は、ソケット部分２４に対応付けられ、インサート４２は、ソケット部分２６に対応付けられる。これらのインサートは、望ましくは、外側曲線形状４６を有し、この外側曲線形状４６は、ソケット上の、これと対応するように曲線形状が付された内側表面４８と協働する。面４６の曲線形状は、上記ソケット２２に対して、インサート４２の調整が可能となるように、少なくとも部分的に円弧状をなすことが望ましい。位置調整の可能なインサート４０，４２を有することにより、ベルト３０上に圧力を最も均一に分布できるように、要求に応じて、ベルト係合面５０，５２を整列させることができる。
【００１５】
図示例は、インサート４０，４２と、ソケット部分２４，２６と、に設けられた曲線形状付表面を含み、これらの表面は、上記協働表面の少なくとも一部分に沿って変化する半径を有する。上記半径は、具体的な態様のベルトとソケットの寸法に合うように選択され、必要に応じて、変更され得る。当業者であれば、本明細書を参照して、特有の構成に最適な、所定の寸法的な関係を決定することが可能であろう。
【００１６】
図示例は、ソケット上に、実質的に凹状の表面を有し、インサート上に、実質的に凸状の表面を有する。これらの協働する曲線形状付表面の配置は、図３に最もよく示される。
【００１７】
インサート４０，４２の全体的な寸法は、ベルト係合面５０，５２の自動的な調整が可能となるように、ソケット内においてインサートの移動を考慮に入れたものである。従って、符号６０，６２に示されるように、インサート部分のエッジと、ソケット内部と、の間に、多少のクリアランスがある。このようなクリアランスにより、ベルト係合面が要求どおりに整列される位置まで、インサート部分をソケットに対して移動できる。
【００１８】
少なくとも１つのインサートが、アセンブリ２０のベルト係合面を調整するために用いられることが望ましい。少なくとも１つのインサート部材を伴うことによって、このインサートが、ベルト３０の上に圧力を最も均一に分布させられる所望の位置に移動するために、向かい合うソケット表面の面の整列状態の変動を、補償することができる。システム部品の重量によりアセンブリに生ずる力を受けて、自動的に上述のような整列が行われることが望ましい。
【００１９】
２つのインサートを有することにより、力を均一に分布させる能力は最大限になる。２つのインサートの使用により、それぞれの側面に、摩擦促進面つまり横方向溝付ベルト係合面を有する付加的な利点が得られ、ソケットの内側表面に溝を設けるときに必要となるような複雑な加工が要求されない。種々の公知の機械加工技術により、インサートの上記ベルト係合面５０，５２に、溝５３や刻み目を付けることが可能となる。図４に概略的に示すように、これらの溝は、ベルト３０の長さに対し直交する方向に延びることが望ましい。
【００２０】
インサート４０，４２は、種々の材料を用いて、構成され得る。一例として、焼結鋼製のインサートが挙げられる。インサートは、公知の手法により、鋳造しても、成形しても、機械加工してもよい。その他の金属や、適宜な硬い合成材料を使用してもよい。当業者であれば、本明細書を参照して、特有の構成の要求に合うように、市販の材料から所望の材料を選択し、この選択された材料に応じて適切な、インサートの構成方法を選択することが可能であろう。例えば、摩擦促進面の形状については、インサート製造工程中に形成してもよいし、また、インサートを形成した後に、インサート面上に機械加工を施してもよい。
【００２１】
ある態様においては、インサート上のベルト係合面５０，５２が、互いに厳密に平行に整列していることが望ましい。円弧状の、協働的な曲線形状（すなわち、面４６，４８）は、インサートが自己的に整列を行うことを可能とする。上記ベルト係合面５０，５２は、アセンブリ２０内にベルト３０が確実に固定されるように、摩擦を促進する（すなわち、溝５３を含む。）面を有することが望ましい。同様の目的のために、ウェッジ２８におけるベルト係合面５４が、溝もしくは他の摩擦促進面、を有することが望ましい。
【００２２】
ソケット２２は、インサート４０，４２を、ウェッジ２８と組み合わせて、このソケット内に内挿して、ベルト３０を所定の位置に固定できるように、設計されている。一例として、２つのソケット部分が、互いに溶接される。板金は、溶接に合った好適なソケット材料である。
【００２３】
図示例は、ベルト取付け工程中に、ソケット内においてインサート保持を容易にする特徴を含む。図５，６に明示されるように、ソケットは、互いに対向する面に、開口部７０，７２を含むことが望ましい。このインサート４０は、ソケット部分２４に設けられた開口部７０の内部に向かって、少なくとも部分的に延びた、ボス７４を含む。凹部７６が、このボス７４の中心を通り、インサート４０の内部に向かって、延びることが望ましい。
【００２４】
保持部材７９のステム部分７８は、凹部７６内に少なくとも部分的に収容されることが望ましい。このステム８０は、インサート４０の所定の位置に、保持部材７９の保持を容易にする複数のリブ７８を含むことが望ましい。
【００２５】
保持部材７９は、この保持部材７９が、少なくとも一部がソケット２２の外側に留まるように、開口部７０の寸法より大きい外形寸法を有したフランジ部８２を含むことが望ましい。
【００２６】
同様に、保持部材８４は、ベルト３０をアセンブリ内に配置し、固定するとともに、所定の位置にインサート４６を保持することを容易にする。このインサート４６は、開口部８８を有した、ボス８６を含む。保持部材８４に設けられたステム９０は、所定の位置に保持部材８４を維持することを容易にする、柔軟性のあるリブ９２を含むことが望ましい。この保持部材８４に設けられたフランジ部分９４は、ソケット部分２６上の開口部７２の外側まで延びることが望ましい。
【００２７】
上記保持部材７９，８４は、望ましくは、樹脂材料からなり、かつ、インサート４０，４２が組み付け中にソケットから抜け出ないように、図６に示すような位置に取り付けられる。ボス７４，８６と開口部７０，７２とは、保持部材７９，８４の使用により、上述したような本発明のアセンブリの自動調整機能を、後に妨げることとならないように、寸法決めされていることが望ましい。上記開口部７０，７２は、インサート４０，４２の移動が妨げられず、かつ、ベルト係合面を要求どおりに整列できるように、各開口部と各ボスとの間のクリアランスを確保でし得る、十分な寸法を備えること望ましい。
【００２８】
一般的なベルト端末クリップ６６が、ベルトスリップのもう１つの予防手段としてベルト３０の端末部の付近に取り付けられることが望ましい。一般的な接続部材６８により、エレベータシステムのその他の部分に、このアセンブリ２０を接続することが容易となる。
【００２９】
上述の記載は、本質的に、例示的なものであって、制限的なものではない。当業者であれば、開示された態様を参照して、本発明の本質から必ずしも逸脱することにはならないような変更や改良を成し得よう。本発明に付与される法的な保護の範囲は、添付の請求項に基づいて定められる。
【図面の簡単な説明】
【００３０】
【図１】本発明に基づいて設計された装置を示す概略図。
【図２】図１の態様の側面図。
【図３】図２の線３−３に沿う断面図。
【図４】図１の態様の一部の、選択された特徴を示す図。
【図５】図１〜図３のいずれかに例示したソケットの、選択された特徴を示す概略図。
【図６】図２の線６−６に沿って破断した断面図。
【国際公開パンフレット】
2005502562.tif 000003
2005502562.tif 000004
2005502562.tif 000005
2005502562.tif 000006
2005502562.tif 000007
2005502562.tif 000008
2005502562.tif 000009
2005502562.tif 000010
2005502562.tif 000011
2005502562.tif 000012
2005502562.tif 000013
2005502562.tif 000014
2005502562.tif 000015
2005502562.tif 000016
2005502562.tif 000017
【国際公開パンフレット（コレクトバージョン）】
2005502562.tif 000018
【手続補正書】
【提出日】平成15年4月2日(2003.4.2)
【手続補正１】
【補正対象書類名】特許請求の範囲
【補正対象項目名】全文
【補正方法】変更
【補正の内容】
【特許請求の範囲】
【請求項１】
ソケットと、
上記ソケット内に少なくとも部分的に収容され、かつ、細長い荷重支持部材の一部分を上記ソケットとの間に収容する、ウェッジと、
上記ソケット内に少なくとも部分的に収容され、かつ、上記ソケットと上記荷重支持部材部材の対応する部分の表面との間に設けられた、少なくとも１つのインサート部材と、
を含み、かつ、
上記荷重支持部材の対応する部分は、上記ウェッジと上記インサート部材との間において、固定され、
上記インサート部材は、上記荷重支持部材と係合する係合面と、該インサート部材を上記ウェッジに整列して位置決めできるように、上記ソケット上の対応する曲線形状付表面に直接収容される、反対側に面する曲線形状付表面と、を有することを特徴とする、エレベータシステムの細長い荷重支持部材の端部を固定する装置。
【請求項２】
（削除）
【請求項３】
上記インサート部材が、圧力が荷重支持部材の一部分に亘って等しく分布するような所定の位置に、自動的に移動することとなるように、上記インサート部材の曲線形状付表面が上記曲線形状付ソケット表面と協働することを特徴とする請求項１に記載の装置。
【請求項４】
上記曲線形状付表面は、少なくとも部分的に円弧状となることを特徴とする請求項１に記載の装置。
【請求項５】
上記曲線形状付表面は、上記荷重支持部材の一部分の長さに対し直交する曲率半径を有することを特徴とする請求項４に記載の装置。
【請求項６】
（削除）
【請求項７】
上記係合面が、上記荷重支持部材の第２の部分の長さに直交するように配列した、溝を含むことを特徴とする請求項５に記載の装置。
【請求項８】
２つのインサート部材を含み、かつ、
各インサート部材は、ソケット内において、少なくとも部分的に上記ウェッジの互いに対向する面に受け取られることを特徴とする請求項１に記載の装置。
【請求項９】
各インサート部材上に曲線形状付表面を含み、かつ、上記ソケットは、インサートの１つに設けられた該曲線形状付表面と協働する第１の曲線形状付表面と、もう一方のインサートに設けられた該曲線形状付表面と協働する第２の曲線形状付表面と、を含むことを特徴とする請求項８に記載の装置。
【請求項１０】
上記協働する曲線形状付表面は、各係合面がウェッジ上の対応する面に対し平行に整列することを可能とするように機能することを特徴とする請求項９に記載の装置。
【請求項１１】
上記ソケットは、第１のソケット部分と、該第１のソケット部分に少なくとも部分的に溶接される、第２のソケット部分と、を含むことを特徴とする請求項１に記載の装置。
【請求項１２】
各ソケット部分は、該ソケット部分に沿って長手方向に延びた、実質的にＵ字型の断面のチャンネルを有し、かつ、各ソケット部分の開放端は、他方のソケット部分の開放端に固定されることを特徴とする請求項１１に記載の装置。
【請求項１３】
上記ソケット部分の一方は、収容部を含み、かつ、他方のソケット部分は、該収容部に収容される、あり継ぎ部分を含むことを特徴とする請求項１２に記載の装置。
【請求項１４】
上記ソケット内の第１の位置に上記インサート部材を保持するように、該インサート部材と協働する、少なくとも１つの保持部材を含むことを特徴とする請求項１に記載の装置。
【請求項１５】
上記インサート部材は、開口部を備えたボスを含み、かつ、上記保持部材は、上記ボスの開口部内に少なくとも部分的に収容される、ステム部分を含み、
かつ、
上記ソケットは、上記インサートが該ソケット内の第１の位置に保持されるときに、上記ボスの少なくとも一部分が貫通する、開口部を含むことを特徴とする請求項１４に記載の装置。
【請求項１６】
第１のソケット部分と、
上記第１のソケット部分に固定される、第２のソケット部分と、
上記両ソケット部分の間に少なくとも部分的に収容され、かつ、細長い荷重支持部材の一部分を上記ソケット部分との間に収容する、ウェッジと、
上記第１のソケット部分と上記ウェッジとの間に少なくとも部分的に収容され、かつ、上記荷重支持部材の対応する部分を該ウェッジとの間に固定する、第１のインサート部材と、
上記第２のソケット部分に少なくとも部分的に収容され、かつ、上記荷重支持部材のもう１つの部分を上記ウェッジとの間に固定する、第２のインサート部材と、
を含み、かつ、
上記のインサート部材は、荷重支持部材係合面と反対に面し、かつ、各ソケット部分に設けられた対応する整列面に直接係合しかつ該整列面と協働する、整列面を含み、かつ、該インサート部材が、上記ウェッジと整列するように自動的に移動することにより、上記荷重支持部材の対応する部分に均一な圧力分布を加えることを特徴とする、
エレベータシステムの細長い荷重支持部材の端部を固定するための装置。
【請求項１７】
各インサート部材整列面が、少なくとも部分的に、上記荷重支持部材の対応する部分の長さに対し横向きに配置された曲率半径を有する円弧状をなした、曲線形状付表面を備えることを特徴とする請求項１６に記載の装置。
【請求項１８】
各インサート部材荷重支持部材係合面が、上記荷重支持部材の対応する部分の長さに対し横方向に配置された、複数の溝を含むことを特徴とする請求項１６に記載の装置。
【請求項１９】
ウェッジの少なくとも一部分の外部表面を取り囲むように、荷重支持部材の一部分を位置決めする段階と、
上記ウェッジとインサートとの間で上記荷重支持部材の一部分を位置決めするように、上記荷重支持部材の一部分に対してインサートの一方の側面を位置決めする段階と、
上記インサートの反対側に面する側面が上記ソケット上の対応する面に直接係合し、かつ、該インサートが上記ウェッジと整列するように、かつ、上記荷重支持部材が該ソケットと該ウェッジとに対し選択した位置に保持されるように、上記ウェッジの少なくとも一部と上記インサートの少なくとも一部とを該ソケット内に配置する段階と、
を含む、ソケットと、少なくとも１つのインサートと、ウェッジと、を使用した、エレベータシステムの細長い荷重支持部材の端部を固定する方法。
【請求項２０】
一つのインサートを、上記ウェッジの一方の側面上に位置した荷重支持部材に対し位置決めし、かつ、第２のインサートを、該ウェッジの反対側の側面上に位置した荷重支持部材に対し位置決めする段階を含む請求項１９に記載の方法。
【請求項２１】
インサート上の表面を互いに平行に整列する段階を含んだ請求項２０に記載の方法。
【請求項２２】
インサート上の表面を、ウェッジ上のそれぞれ対応する表面に対し平行に整列する段階を含んだ請求項２０に記載の方法。
【請求項２３】
上記インサート部材の各々が、同じ荷重支持部材に係合することを特徴とする請求項８に記載の装置。
【請求項２４】
上記インサート部材係合面が平面であることを特徴とする請求項１に記載の装置。
【請求項２５】
上記インサート部材係合面が平面であることを特徴とする請求項１６に記載の装置。
【国際調査報告】
2005502562.tif 000019
2005502562.tif 000020